(57)【要約】【課題】表示パネルと筐体のビューエリア周縁とを接触させないようにしつつ、視聴者が違和感を感じないような一定間隔の隙間を形成する。【解決手段】開口３１ｆの周縁部には、液晶パネル１６において非映像表示領域Ｙが金属板６０にて覆われない位置に向けて延びるリブ３１ｅと、リブ３１ｅから外側にオフセットされた形状であり金属板６０に向けて延びるリブ３１ｄと、がそれぞれ形成され、リブ３１ｅとリブ３１ｄは、液晶パネル１６の表示面からの距離が等しく、開口３１ｆの角部から辺の中央付近に向けて徐々に背面側へ迫り出す形状とする。【選択図】図５
2008167261.tif 000002
【特許請求の範囲】
【請求項１】
アンテナを介して入力されたテレビ放送信号から所望周波数の信号を受信して中間周波信号を出力するチューナと、
上記チューナが出力した中間周波信号から映像信号を抽出し、該映像信号に対応するパネル駆動信号を生成して駆動ドライバに出力する映像信号処理部と、
入力されるパネル駆動信号に基づいて表示パネルを駆動することにより画面に映像を表示する駆動ドライバと、
を備えるパネル型テレビジョンにおいて、
枠状の非映像表示領域で囲まれた前面側の略矩形の映像表示領域に、入力されたパネル駆動信号に基づく映像を表示する表示パネルと、
上記表示パネルの背面と側面とを覆いつつ前面側の上下左右端部まで回りこみ、上記映像表示領域を除くほぼ全ての面を覆うとともに上記非映像表示領域のうち上記映像表示領域に隣接する部位を枠状に覆わずに残す金属板と、
筐体内部に貫通する略矩形の開口を有し、該開口から上記映像表示領域を露見させており、該開口の周縁部が上記金属板に当接する前面筐体と、
上記前面筐体と合わさって上記表示パネルを内部に収容する背面筐体と、
前後に薄く上下左右に広い、浅い箱型容器のような略直方体形状であり、内側のサイズが上記表示パネルの外形と略一致して、内部に上記表示パネルを収容して保持可能な固定板金と、
上記固定板金の上側面に略垂直にヒレ状に形成される上ヒレ部と、
上記固定板金の下側面に略垂直にヒレ状に形成される下ヒレ部と、
上記上ヒレ部の中央付近と左右端部付近に形成されるネジ孔と、
上記下ヒレ部の中央付近と左右端部付近に形成されるネジ孔と、
上記前面筐体の内面側であって上記開口よりも上部の左端部において後方に向かって立設される第一ネジボスと、
上記前面筐体の内面側であって上記開口よりも上部の左右方向の略中央において後方に向かって立設される第二ネジボスと、
上記前面筐体の内面側であって上記開口よりも上部の右端部に後方において向かって立設される第三ネジボスと、
上記前面筐体の内面側であって上記開口よりも下部の左端部において後方に向かって立設される第四ネジボスと、
上記前面筐体の内面側であって上記開口よりも下部の左右方向の略中央において後方に向かって立設される第五ネジボスと、
上記前面筐体の内面側であって上記開口よりも下部の右端部に後方において向かって立設される第六ネジボスと、
上記開口の縁に沿って後方に向かって立つように形成され、上記表示パネルが上記前面筐体に対して固定された時に上記非映像表示領域の上記金属板にて覆われない部位に対応する位置に来る第一リブと、
上記第一リブからオフセットして上記開口の縁から所定間隔を開けた位置に後方に向かって立つように形成され、上記金属板にて覆われた上記非映像表示領域に対応する位置に来る第二リブと、
を備え、
上記第一リブと上記第二リブとは、上記開口の左右の角から各辺の中央付近に向けて徐々に背面側へ迫り出すように湾曲した形状であり、
上記第一ネジボスと上記第三ネジボスと上記第四ネジボスと上記第六ネジボスとの高さを、上記第二ネジボスと上記第五ネジボスの高さよりも、上記第一リブおよび上記第二リブの中央付近と角の高さの差の分だけ低く形成し、
上記表示パネルが上記前面筐体に組みつけられると、上記第二リブが中央付近から左右の角まで上記金属板に当接し、上記第一リブが中央付近から左右の角まで上記表示パネルの表示面との間に上記金属板の厚み長さと略等しい間隔の隙間を生じた状態で維持されることを特徴とするパネル型テレビジョン。
【請求項２】
表示パネルを筐体に取り付ける表示パネル取付構造において、
枠状の非映像表示領域で囲まれた前面側の略矩形の映像表示領域に、入力された映像信号に基づく映像を表示する表示パネルと、
上記表示パネルの背面と側面を覆いつつ、上記表示パネルの前面において上記非映像表示領域のうち上記映像表示領域に隣接する枠状の部位を除いて覆う金属板と、
上記表示パネルの上記映像表示領域を前面に露出する開口を有しつつ、該開口の周縁部が上記金属板に当接する前面筐体と、
上記前面筐体と合わさって上記表示パネルを内部に収容する背面筐体と、
上記表示パネルを上記前面筐体に対して固定する固定板金と、
を備え、
上記開口の周縁部の上辺と下辺には、上記表示パネルにおいて上記枠状の部位に向けて延びる第一リブと、該第一リブから外側にオフセットされた形状であり上記金属板に向けて延びる第二リブと、がそれぞれ形成され、
上記第一リブと上記第二リブは、上記表示パネルの表示面からの距離が等しく、上記開口の角部から辺の中央付近に向けて徐々に背面側へ迫り出す形状であることを特徴とする表示パネル取付構造。
【請求項３】
上記開口の周縁部の左辺と右辺にも、上記第一リブと第二リブとが形成されたことを特徴とする上記請求項２に記載の表示パネル取付構造。
【請求項４】
上記固定板金は、上記前面筐体において少なくとも上記開口の角部付近と辺の中央付近とに形成されるネジボス対してネジ止め固定されており、
これらネジボスの高さは、各ネジボスが形成される位置に対応する上記第二リブの高さにあわせた高さとされることを特徴とする上記請求項２または請求項３に記載の表示パネル取付構造。
【発明の詳細な説明】
【技術分野】
【０００１】
本発明は、パネル型テレビジョンおよび表示パネル取付構造に関する。
【背景技術】
【０００２】
従来においては、パネル型テレビジョンの表示パネルをフロントキャビネットに対して取り付けるために、パネル管面からオフセットされた位置に取り付け用ボスをフロントキャビネット側に設け、周囲１０箇所程度（上側：３、下側：３、両サイド：各２）ビスにて固定していた。ボスの間隔は、表示パネルを固定する際にボスとボスの間の位置でフロントキャビネットと表示パネルとの間に浮きが発生しない程度の距離で決定していた。
【０００３】
また、フロントキャビネットの反り、ネジによるフロントキャビネットの引き込みのバラツキを吸収するために、周囲に不織布を追加していた。これにより、パネル管面とフロントキャビネットの隙間を均一にして組立てることが可能となっていたが、部品点数、作業効率、作業工程の面から見て、改善の余地が残されていた。
【０００４】
ところで筐体に対して受像器を取り付ける構造として特許文献１〜４のような技術が知られている。例えば、特許文献１や特許文献には、フロントキャビネットの開口の周縁に受像器が固定される際に受像器の受像面と密着させられるようにすることが記載されており、特許文献３には筐体が表示パネルの位置決め構造を有するパネル表示テレビジョンについて記載されており、特許文献４にはパネルに形成した爪を筐体に形成した穴に係合してパネルを筐体に取り付けることが記載されている。
【特許文献１】実用新案登録第３０７３２１４号公報
【特許文献２】実用新案登録第３０７２６１４号公報
【特許文献３】実用新案登録第３１１０９９７号公報
【特許文献４】実開平７−１６４６８号公報
【発明の開示】
【発明が解決しようとする課題】
【０００５】
しかしながら、上述した特許文献１〜４記載の技術は、いずれも受像器と筐体を密着させるためのものであって、表示パネルと筐体のビューエリア周縁とを接触させないようにしつつ、一定間隔を保った隙間を形成すると言うものではなかった。
【０００６】
本発明は、上記課題に鑑みてなされたもので、表示パネルと筐体のビューエリア周縁とを接触させないようにしつつ、視聴者が違和感を感じないような一定間隔の隙間を形成したパネル型テレビジョンおよび表示パネル取付構造の提供を目的とする。
【課題を解決するための手段】
【０００７】
上記課題を解決するために、本発明の表示パネル取付構造では、表示パネルを筐体に取り付ける表示パネル取付構造において、枠状の非映像表示領域で囲まれた前面側の略矩形の映像表示領域に、入力された映像信号に基づく映像を表示する表示パネルと、上記表示パネルの背面と側面を覆いつつ、上記表示パネルの前面において上記非映像表示領域のうち上記映像表示領域に隣接する枠状の部位を除いて覆う金属板と、上記表示パネルの上記映像表示領域を前面に露出する開口を有しつつ、該開口の周縁部が上記金属板に当接する前面筐体と、上記前面筐体と合わさって上記表示パネルを内部に収容する背面筐体と、上記表示パネルを上記前面筐体に対して固定する固定板金と、を備え、上記開口の周縁部の上辺と下辺には、上記表示パネルにおいて上記枠状の部位に向けて延びる第一リブと、該第一リブから外側にオフセットされた形状であり上記金属板に向けて延びる第二リブと、がそれぞれ形成され、上記第一リブと上記第二リブは、上記表示パネルの表示面からの距離が等しく、上記開口の角部から辺の中央付近に向けて徐々に背面側へ迫り出す形状となる構成としてある。
上記構成において、上記表示パネルが上記前面筐体に対して上記固定板金によって固定されると、上記第二リブは上記開口の角部から辺の中央付近まで上記金属板と接することになり、上記第一リブは上記表示パネルとの間に所定間隔の隙間を生じる。この隙間は、角部から辺の中央付近まで略等間隔である。このように構成すると、隙間の形成に不織布等の別部品を追加する必要が無く、部品点数も削減される。
【０００８】
上述の構成では上辺と下辺に第一リブおよび第二リブを形成する構成としたが、無論、上記開口の周縁部の左辺と右辺にも、上記第一リブと第二リブとが形成される構成としてもよい。このように構成すると、上辺と下辺のみならず左辺と右辺でも、上記第一リブと上記表示パネルとの間に所定間隔の隙間を生じさせることが出来る。
【０００９】
さらに、上記固定板金は、上記前面筐体において少なくとも上記開口の角部付近と辺の中央付近とに形成されるネジボス対してネジ止め固定されており、これらネジボスの高さは、各ネジボスが形成される位置に対応する上記第二リブの高さにあわせた高さとされる構成としてもよい。
この構成によれば、ネジボスに対してネジ止めすると、上記表示パネルが上記前面筐体に対して固定されると同時に、上記第一リブと上記第二リブの角部が上記表示パネルに向けて引き込まれることになる。よって、上記第二リブの略全体が上記金属板に対して当接するとともに、上記第一リブが上記第二リブとほぼ同じ形状に屈曲して上記表示パネルとの間に所定間隔の隙間を生じることになる。よってネジボスの高さ調整により、一定間隔の隙間の形成を、筐体への表示パネル取り付けと同時に行うことが可能となり、作業工程を削減して作業効率を向上できる。
【００１０】
さらに、上記表示パネル取付構造をパネル型テレビジョンに採用した具体的な構成例として、アンテナを介して入力されたテレビ放送信号から所望周波数の信号を受信して中間周波信号を出力するチューナと、上記チューナが出力した中間周波信号から映像信号を抽出し、該映像信号に対応するパネル駆動信号を生成して駆動ドライバに出力する映像信号処理部と、入力されるパネル駆動信号に基づいて表示パネルを駆動することにより画面に映像を表示する駆動ドライバと、を備えるパネル型テレビジョンにおいて、枠状の非映像表示領域で囲まれた前面側の略矩形の映像表示領域に、入力されたパネル駆動信号に基づく映像を表示する表示パネルと、上記表示パネルの背面と側面とを覆いつつ前面側の上下左右端部まで回りこみ、上記映像表示領域を除くほぼ全ての面を覆うとともに上記非映像表示領域のうち上記映像表示領域に隣接する部位を枠状に覆わずに残す金属板と、筐体内部に貫通する略矩形の開口を有し、該開口から上記映像表示領域を露見させており、該開口の周縁部が上記金属板に当接する前面筐体と、上記前面筐体と合わさって上記表示パネルを内部に収容する背面筐体と、前後に薄く上下左右に広い、浅い箱型容器のような略直方体形状であり、内側のサイズが上記表示パネルの外形と略一致して、内部に上記表示パネルを収容して保持可能な固定板金と、上記固定板金の上側面に略垂直にヒレ状に形成される上ヒレ部と、上記固定板金の下側面に略垂直にヒレ状に形成される下ヒレ部と、上記上ヒレ部の中央付近と左右端部付近に形成されるネジ孔と、上記下ヒレ部の中央付近と左右端部付近に形成されるネジ孔と、上記前面筐体の内面側であって上記開口よりも上部の左端部において後方に向かって立設される第一ネジボスと、上記前面筐体の内面側であって上記開口よりも上部の左右方向の略中央において後方に向かって立設される第二ネジボスと、上記前面筐体の内面側であって上記開口よりも上部の右端部に後方において向かって立設される第三ネジボスと、上記前面筐体の内面側であって上記開口よりも下部の左端部において後方に向かって立設される第四ネジボスと、上記前面筐体の内面側であって上記開口よりも下部の左右方向の略中央において後方に向かって立設される第五ネジボスと、上記前面筐体の内面側であって上記開口よりも下部の右端部に後方において向かって立設される第六ネジボスと、上記開口の縁に沿って後方に向かって立つように形成され、上記表示パネルが上記前面筐体に対して固定された時に上記非映像表示領域の上記金属板にて覆われない部位に対応する位置に来る第一リブと、上記第一リブからオフセットして上記開口の縁から所定間隔を開けた位置に後方に向かって立つように形成され、上記金属板にて覆われた上記非映像表示領域に対応する位置に来る第二リブと、を備え、上記第一リブと上記第二リブとは、上記開口の左右の角から各辺の中央付近に向けて徐々に背面側へ迫り出すように湾曲した形状であり、上記第一ネジボスと上記第三ネジボスと上記第四ネジボスと上記第六ネジボスとの高さを、上記第二ネジボスと上記第五ネジボスの高さよりも、上記第一リブおよび上記第二リブの中央付近と角の高さの差の分だけ低く形成し、上記表示パネルが上記前面筐体に組みつけられると、上記第二リブが中央付近から左右の角まで上記金属板に当接し、上記第一リブが中央付近から左右の角まで上記表示パネルの表示面との間に上記金属板の厚み長さと略等しい間隔の隙間を生じた状態で維持される構成としてある。
【発明の効果】
【００１１】
以上説明したように本発明によれば、表示パネルと筐体のビューエリア周縁とを接触させないようにしつつ、視聴者が違和感を感じないような一定間隔の隙間を形成することが可能な表示パネル取付構造を提供することができる。また部品点数も削減される。
また請求項３にかかる発明によれば、ビューエリア周縁の上下左右の全てに一定間隔の隙間を生じさせることが出来る。
そして請求項４にかかる発明によれば、ネジボスの高さ調整により、一定間隔の隙間の形成を筐体への表示パネル取り付けと同時に行うことが可能となり、作業工程を削減して作業効率を向上できる。
さらに請求項１のような、より具体的な構成において、上述した請求項２〜請求項４の各発明と同様の作用を奏することはいうまでもない。
【発明を実施するための最良の形態】
【００１２】
以下、下記の順序に従って本発明の実施形態を説明する。
（１）液晶テレビジョンの電気的構成：
（２）液晶テレビジョンの構造：
（３）液晶パネルとリブの位置関係：
（４）まとめ：
【００１３】
（１）液晶テレビジョンの電気的構成： 
以下、本発明の実施形態について図１〜図１１を参照して説明する。本実施形態においては、表示パネルとして液晶パネルを採用した液晶テレビジョンを採用して説明するが、表示パネルとしてプラズマディスプレイパネル（ＰＤＰ）を採用したプラズマテレビジョンであっても無論構わない。また、今後開発されうる表示パネルであっても本発明を適用可能であることは言うまでも無い。
【００１４】
図１は、本実施形態にかかる液晶テレビジョン１００の電気的構成を示すブロック図である。図１において、液晶テレビジョン１００は、チューナ１０と映像信号処理部１２と駆動ドライバ１４と液晶パネル１６と音声信号処理部１８とスピーカ２０とマイコン２２とから構成される。チューナ１０と映像信号処理部１２と駆動ドライバ１４と液晶パネル１６と音声信号処理部１８とマイコン２２と電源回路２４とはシリアル通信バスであるＩＩＣバスで接続されており、互いに通信可能となっている。
【００１５】
本実施形態におけるチューナ１０は、いわゆるＰＬＬ方式の選局機構を採用しており、マイコン２２から入力される所定の周波数データに基づいて局部発振周波数を直接的に制御することにより受信周波数を制御し、所望周波数の信号を受信可能となっている。即ち、アンテナ１０ａを介してテレビ放送信号が入力され、マイコン２２の出力する選局信号に基づいて所望周波数の信号に同調しつつ受信するとともに、受信した信号から所要の信号を抽出して高周波増幅して中間周波信号に変換して出力する。
【００１６】
映像信号処理部１２は、チューナ１０が出力した中間周波信号から映像信号を抽出し、抽出した映像信号にスケーリング処理や各種画質調整処理を施した後、映像信号に対応するパネル駆動信号を生成して駆動ドライバ１４に出力する。駆動ドライバ１４は入力されるパネル駆動信号に基づいて液晶パネル１６を駆動することにより画面に映像を表示する。音声信号処理部１８は、チューナ１０が出力した中間周波信号から音声信号を抽出し、抽出した音声信号に所定の信号処理や増幅を行ってスピーカ２０に出力する。  
【００１７】
マイコン２２は、内蔵するＣＰＵとＲＯＭとＲＡＭとからなるプログラム実行環境を備えており、ＲＯＭに格納された各種プログラムをＲＡＭをワークエリアとしつつＣＰＵにて演算を行って液晶テレビジョン１００全体の制御を行う。
【００１８】
これら液晶テレビジョン１００を構成する各部（チューナ、映像信号処理部、音声信号処理部、駆動ドライバ、液晶パネル、マイコン）には、電源回路２４から電源電圧が供給されている。
【００１９】
（２）液晶テレビジョンの構造： 
以下、図２〜６を参照して液晶テレビジョン１００の構造について説明する。図２は液晶テレビジョン１００を斜めから見た斜視図であり、図３は図２の液晶テレビジョン１００を左右方向略中央において上下前後方向に切断して示した断面図であり、図４は、液晶パネル１６の表示面における、映像表示領域Ｘと非映像表示領域Ｙと金属板６０の位置関係を示す図であり、図５は前面筐体３１に液晶パネル１６と固定板金４０とを取り付ける様子を示す分解斜視図であり、図６は液晶パネル１６とリブ３１ｄ，３１ｅの間隔を説明する図である。
【００２０】
図２において、液晶テレビジョン１００は樹脂製の前面筐体３１と背面筐体３２とが合わさって筐体３０を形成している。この筐体３０は、内部に液晶パネル１６と固定板金４０と液晶テレビジョン１００を電気的に構成する各部が形成された基板等を内部に収容する。前面筐体３１は、筐体内部に貫通する略矩形の開口を有し、この開口から液晶パネル１６の表示面において映像が表示されうる映像表示領域Ｘ（ビューエリア）を露見させている。
【００２１】
液晶パネル１６は、概略、前面ガラス６２と、映像光生成部６１と、金属板６０から構成される。映像光生成部６１は、概略、液晶セルと、この液晶セルに背面から光を照射するバックライトと、バックライトから出射される光を調光して液晶セルに照射する調光シート、から構成される。前面ガラス６２は、液晶パネル１６の前面側の表面に位置し、映像光生成部６１と外部との間に位置しつつ映像光生成部６１から出射される映像光を前面側に透過する。金属板６０は、映像光生成部６１の光が液晶パネル１６の背面や側面から漏れないように映像光生成部６１の背面と上下左右側面とを覆う。
【００２２】
液晶パネル１６は、駆動ドライバ１４を介して入力された映像信号に基づく映像を、前面側の略矩形の映像表示領域Ｘに表示する。この液晶パネル１６の表示面と前面筐体３１の開口３１ｆの縁との間には、略等間隔の隙間が形成される。この隙間は、開口３１ｆと液晶パネル１６とが接触しない間隔であると共に、視聴者にこの隙間の存在を感じさせない程度の間隔とされる。
【００２３】
液晶パネル１６の表示面には、映像が表示される映像表示領域Ｘと非映像表示領域Ｙが形成される。この映像表示領域Ｘは略矩形の領域であり、液晶セルを通してバックライトの光が表面側に通過可能な領域である。映像表示領域Ｘは、液晶パネル１６の表示面において上下左右の端を除いて形成される。非映像表示領域Ｙは映像表示領域Ｘを囲う枠状の領域であり、バックライトの光を表示面側に通過させない領域である。非映像表示領域Ｙは液晶パネル１６の表示面において上下左右の端に接して形成される。
【００２４】
金属板６０は、図４に示すように、液晶パネル１６の背面と側面とを覆いつつ、前面側の上下左右端部まで回りこんでいる。そして、液晶パネル１６の映像表示領域Ｘを除くほぼ全ての面を覆うが、非映像表示領域Ｙのうち映像表示領域Ｘに隣接する部位を枠状に覆わずに残す。つまり、外周から順に、金属板６０に覆われた枠状の非映像表示領域Ｙ、金属板６０に覆われない枠状の非映像表示領域Ｙ、略矩形の映像表示領域、となる。
【００２５】
前面筐体３１の開口３１ｆの縁は、非映像表示領域Ｙにおいて映像表示領域Ｘに隣接する位置に来る形状となっている。映像表示領域Ｘを前面筐体３１が覆うことなく、非映像表示領域Ｙが視聴者の視界に入らないようにするためである。
【００２６】
固定板金４０は、前後に薄く上下左右に広い略直方体形状であり、浅い箱型容器のような形状となっている。この固定板金４０は内側のサイズが液晶パネル１６の外形と略一致しており、内部に液晶パネル１６を収容して保持することが可能となっている。また、固定板金４０は、上側面から略垂直にヒレ状に突出するヒレ部４１（上ヒレ部）と、下側面から略垂直にヒレ状に突出するヒレ部４２（下ヒレ部）と、を備えており、このヒレ部４１とヒレ部４２には各々ネジ孔が形成されている。
【００２７】
これらヒレ部４１とヒレ部４２とは、それぞれネジボス３３とネジボス３４に対応しており、ヒレ部４１に形成されるネジ孔は液晶パネル１６を前面筐体３１に取付時のネジボス３３の位置に対応しており、ヒレ部４２に形成されるネジ孔は液晶パネル１６を前面筐体３１に取付時のネジボス３４の位置に対応している。
【００２８】
そして、固定板金４０が液晶パネル１６を内部に収容しつつ、液晶パネル１６の映像表示領域Ｘが前面筐体３１の開口３１ｆから前方に露出するように配置し、ヒレ部４１とヒレ部４２のネジ孔を通してネジボス３３とネジボス３４に対してネジ止め固定することにより、固定板金４０が前面筐体３１に対して固定される。つまり、固定板金４０内部に収容されている液晶パネル１６も前面筐体３１に対して固定されることになる。
【００２９】
このとき、液晶パネル１６の表示面側に位置する金属板６０が前面筐体３１の開口３１ｆの周縁に当接している。一方、液晶パネル１６の前面ガラス６２は前面筐体３１とは接触せず、開口３１ｆの周縁との間に所定間隔の隙間を形成している。この隙間は、開口３１ｆの周縁の何れの部位との間とも略等しい間隔である。このように略等しい間隔を保った隙間とするための構造については後に詳述する。
【００３０】
固定板金４０の背面側は板金が複数箇所切り起こされており、切り起こされた板金の先端が液晶パネル１６と略平行に折り曲げられている。この複数の切り起こしの先端部分にはネジ孔が形成されており、液晶テレビジョン１００を電気的に制御するための各種基板が先端部分に戴置されて固定板金４０にネジ固定される。
【００３１】
このようにして液晶パネル１６の背面に固定された基板に配置される回路構成としては、上述したチューナ１０、映像信号処理部１２、駆動ドライバ１４、音声信号処理部１８、電源回路２４、マイコン２２などである。駆動ドライバ１４については、金属板６０の内部に配置して、駆動ドライバ１４と液晶パネル１６が一体となったモジュールとしても構わない。
【００３２】
また、固定板金は、箱状に形成される必要は必ずしも無く、液晶パネル１６を前面筐体３１に対して固定可能であればよい。よって、固定板金を上辺と下辺とに分離して液晶パネル１６の上辺と下辺とに分離した板金をそれぞれ固定した上で前面筐体３１に固定する構成としても構わない。
【００３３】
前面筐体３１の内面側にはリブ３１ｄ（第二リブ）とリブ３１ｅ（第一リブ）が形成されている。このリブ３１ｅは開口３１ｆの縁に沿って後方に延びるリブであり、リブ３１ｄは開口３１ｆの縁から所定間隔を開けた位置から後方に向かって延びるリブである。これらリブ３１ｅとリブ３１ｄとは互いにオフセットした形状とされる。つまり、図５のように、開口３１ｆの上もしくは下に位置するリブ３１ｄ，３１ｅでは、上下方向に延びる直線上に位置する部位の高さ（前面筐体３１の内面から後方に向かう長さ）が等しくなり、開口３１ｆの右もしくは左に位置するリブ３１ｄ，３１ｅでは、左右方向に延びる直線上に位置する部位の高さ（前面筐体３１の内面から後方に向かう長さ）が等しくなる。
【００３４】
リブ３１ｅは開口３１ｆの縁に沿って形成される。そのため、液晶パネル１６が前面筐体３１に対して固定された時には、液晶パネル１６の非映像表示領域Ｙの金属板６０にて覆われない部位に対応する位置に来る。一方、リブ３１ｄは、リブ３１ｅよりも外方にオフセットした位置に形成されるため、金属板６０にて覆われた非映像表示領域Ｙに対応する位置に来る。
【００３５】
このとき、リブ３１ｄは金属板６０に当接するが、リブ３１ｅは液晶パネル１６の表示面との間に金属板６０の厚み分だけ隙間が出来る。つまり、リブ３１ｄが金属板６０に当接することにより、リブ３１ｅとこの金属板６０の厚み分だけ前面筐体３１と液晶パネル１６との距離が離れることになり、同時にリブ３１ｅも液晶パネル１６との距離が離れる。その結果、リブ３１ｅもリブ３１ｄと同じ高さに維持されて、液晶パネル１６の表示面に接触せずに所定の距離を保つことになる。
【００３６】
前面筐体３１には、内面側の開口３１ｆよりも上部に、所定の間隔を置いてネジボス３３が後方に向かって立設されている。また、内面側の開口３１ｆよりも下部には、所定の間隔を置いてネジボス３４が後方に向かって立設されている。
【００３７】
図４に示すように、ネジボス３３は、左右方向の略中央と（ネジボス３３ｂ）左右方向の端部付近（ネジボス３３ａ，３３ｃ）とに形成され、ネジボス３４も左右方向の略中央と（ネジボス３４ｂ）左右方向の端部付近（ネジボス３４ａ，３４ｃ）とに形成される。ネジボス３３と３４を構成するネジボスの数は、左右端部に形成されるネジボス３４ａ，３４ｃと中央付近に形成されるネジボス３３ｂの少なくとも３つであればよく、４つ以上であっても良い。
【００３８】
本実施形態において、ネジボス３３ａが第一ネジボスを構成し、ネジボス３３ｂが第二ネジボスを構成し、ネジボス３３ｃが第三ネジボスを構成し、ネジボス３４ａが第四ネジボスを構成し、ネジボス３４ｂが第五ネジボスを構成し、ネジボス３４ｃが第六ネジボスを構成する。
【００３９】
以上の構成により、液晶パネル１６が前面筐体３１に対してどのように取り付け固定するかの手順を図６を参照して説明する。
【００４０】
組立作業を行う作業者は、まず、液晶パネル１６と固定板金４０を組み合わせる。具体的には、液晶パネル１６の背面側から固定板金４０を被せて、液晶パネル１６と固定板金４０の左右側面にそれぞれ形成されているネジ孔を通してネジ止めする。これにより、液晶パネル１６が固定板金４０の内部に収容されつつ固定される。
【００４１】
次に、前面筐体３１の内面側を上に向けて台上に戴置する。そして液晶パネル１６の表示面を下に向け、この表示面と前面筐体３１の内面側とが対面するように、固定板金４０内に収容された液晶パネル１６を戴置する。このとき液晶パネル１６表示面の映像表示領域Ｘが、開口３１ｆの内側に位置するようする。すると、リブ３１ｄは金属板６０に当接し、リブ３１ｅが金属板６０で覆われていない非映像表示領域Ｙに近接しつつ所定間隔の隙間を生じる。
【００４２】
そして、ヒレ部４１ａ，４１ｂ，４１ｃのネジ孔とネジボス３３ａ，３３ｂ，３３ｃを位置合わせしてそれぞれネジ止めし、ヒレ部４２ａ，４２ｂ，４２ｃのネジ孔とネジボス３４ａ，３４ｂ，３４ｃを位置合わせしてそれぞれネジ止めする。これにより固定板金４０が前面筐体３１に対して固定され、ひいては液晶パネル１６が前面筐体３１に対して固定される。
【００４３】
（３）液晶パネルとリブの位置関係： 
次に、図７〜図１１を参照して、液晶パネル１６とリブ３１ｄ，３１ｅの間の間隔、およびリブ３１ｄ，３１ｅの詳細な形状について説明する。図７は前面筐体３１の部分背面図とこの部分背面図のＥ−Ｅ断面における断面図である。図８は上下左右何れかのリブ３１ｄの立設方向にネジ止め前の前面筐体３１と液晶パネル１６を切断して示した断面図であり、図９は図８のＡ−Ａ断面とＢ−Ｂ断面とＣ−Ｃ断面でそれぞれ切断して示した断面図である。図１０は上下左右何れかのリブ３１ｄの立設方向にネジ止め後の前面筐体３１と液晶パネル１６を切断して示した断面図であり、図１１は図１０のＤ−Ｄ断面とＥ−Ｅ断面とＦ−Ｆ断面でそれぞれ切断して示した断面図である。
【００４４】
図７の断面図において、リブ３１ｅは開口３１ｆの左右の角から辺の中央付近に向けて徐々に背面側へ迫り出す形状となっている。この形状は、リブ３１ｅにおいて開口３１ｆの上側に位置する部位だけではなく、下側に位置する部位や、左右に位置する部位においても同様であり、角部から各辺の中央付近に向けて徐々に背面側へ迫り出すように湾曲する形状となっている。
【００４５】
次に、前面筐体３１と液晶パネル１６の位置関係について説明する。図８に示すように、ネジ止め前の前面筐体３１と液晶パネル１６では、リブ３１ｄの中央付近が液晶パネル１６の金属板６０に接している。リブ３１ｄと金属板６０の隙間は、中央付近から角部に近づくにつれて広くなる。即ち、平面である金属板６０が、凸型の所定のＲ（曲率）を有するリブ３１ｄに対する接面となっている。
【００４６】
このように前面筐体３１に液晶パネル１６を戴置した状態では、中央付近（Ｂ−Ｂ断面）ではリブ３１ｄは金属板６０に接しており、リブ３１ｅは前面ガラス６２との間に金属板６０の厚みと略等しい隙間を保っている。また、角部に近づくと（Ａ−Ａ断面、Ｃ−Ｃ断面）リブ３１ｄは金属板６０から浮いており、リブ３１ｅは金属板６０の厚みに加えてリブ３１ｄの浮きと同じだけ前面ガラス６２との間に隙間が生じている。
【００４７】
具体的なリブ３１ｄとリブ３１ｅの曲率としては、前面筐体３１の素材次第であるが、樹脂素材であれば角部付近で１ｍｍ程度の浮きが発生する曲率が適当である。従って、一般的なパネル型テレビジョンの幅（５０ｃｍ前後）を考えると１／ｒ＝２４０００〜２７０００前後が適当である。
【００４８】
このように前面筐体３１に液晶パネル１６を戴置した状態で、ヒレ部４１ａのネジ孔を通してネジボス３３ａに、ヒレ部４１ｃのネジ孔を通してネジボス３３ｃに、それぞれネジ止めすると、前面筐体３１の角部付近が図８の矢印の方向に引き寄せられる。このとき、リブ３１ｄも同様に引き寄せられ、図１０のようにリブ３１ｄの角部付近も金属板６０に接することとなる。
【００４９】
図１０のように、前面筐体３１が液晶パネル１６に引き寄せられると、前面筐体３１そのものも曲がる。よってリブ３１ｄと金属板６０とが中央付近から角部まで全体的に接することになる。このとき、中央付近（Ｅ−Ｅ断面）から角部に近い部位（Ｄ−Ｄ断面、Ｆ−Ｆ断面）までの全てでリブ３１ｄが金属板６０に当接する。同時に、リブ３１ｅと前面ガラス６２の距離も、中央付近から角部に近い部位までのすべての部位で、金属板６０の厚みと略等しい間隔を保つことになる。
【００５０】
テレビ受像器を始めとする映像表示装置では、一般に表示パネルが左右に長く上下に短い矩形形状である。そのため開口３１ｆの長辺に相当する上辺と下辺においては、リブ３１ｄに湾曲形状を持たせて角部で引き込まなければ、金属板６０に密着させることが難しい。一方、短辺である左辺と右辺では、長辺に比べて金属板６０に密着させることが容易である。よって、このリブ３１ｄ，３１ｅに形成される湾曲は、開口３１ｆの上辺と下辺のみに形成されても良いし、左辺および右辺にも形成されても良い。
【００５１】
ところで、仮に、ネジボス３３ａ〜３３ｃ、およびネジボス３４ａ〜３４ｃの高さを同一に形成すると、角部付近では前面筐体３１が液晶パネル１６に対して十分に引き寄せられず、図１０のようにリブ３１ｄと金属板６０とが全体的に接する状態とならない。そこで、この曲がりを考慮して、ネジボス３３ａ〜３３ｃ、およびネジボス３４ａ〜３４ｃの高さに差をつける。
【００５２】
具体的には、液晶パネル１６に対して前面筐体３１を引き寄せる距離が長くなる角部付近のネジボス３３ａ，３３ｃ，３４ａ，３４ｃの高さを、ネジボス３３ｂ，３４ｂの高さよりもリブ３１ｄの浮きの分だけ低くしてやる。即ち、リブ３１ｄが金属板６０に全体的に当接した状態で、ネジボス３３ａ〜３３ｃおよびネジボス３４ａ〜３４ｃの高さが等しくなるように形成する。これにより前面筐体３１を液晶パネル１６に対して十分に引き寄せることが可能となる。
【００５３】
無論、ネジボスの高さを調整するのではなく、固定板金４０に形成されるヒレ部４１ａ〜４１ｃ，４２ａ〜４２ｃの高さを調整しても構わない。ネジボスの高さを等しくして、ヒレ部の調整で前面筐体３１の液晶パネル１６に対する引き込みに対処する場合は、前面筐体３１の内面側からの距離を、ヒレ部４１ｂ，４２ｂよりも、角部付近に形成されるヒレ部４１ａ，４１ｃ，４２ａ，４２ｃが長くなるようにする。
【００５４】
（４）まとめ： 
つまり、開口３１ｆの周縁部には、液晶パネル１６において非映像表示領域Ｙが金属板６０にて覆われない位置に向けて延びるリブ３１ｅと、リブ３１ｅから外側にオフセットされた形状であり金属板６０に向けて延びるリブ３１ｄと、がそれぞれ形成され、リブ３１ｅとリブ３１ｄは、液晶パネル１６の表示面からの距離が等しく、開口３１ｆの角部から辺の中央付近に向けて徐々に背面側へ迫り出す形状とする。これにより、表示パネルと筐体のビューエリア周縁とを接触させないようにしつつ、視聴者が違和感を感じないような一定間隔の隙間が形成される。
【００５５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５６】
【図１】液晶テレビジョンの電気的構成を示すブロック図である。
【図２】液晶テレビジョンを斜めから見た斜視図である。
【図３】液晶テレビジョンの断面図である。
【図４】映像表示領域と非映像表示領域と金属板の位置関係を示す図である。
【図５】前面筐体と液晶パネルと固定板金の分解斜視図である。
【図６】液晶パネルとリブの間隔を説明する図である。
【図７】前面筐体の部分背面図とこの部分背面図のＥ−Ｅ断面における断面図である。
【図８】リブ３１ｄと液晶パネルを切断して示した断面図である。
【図９】リブと液晶パネルの断面図である。
【図１０】リブ３１ｄと液晶パネルを切断して示した断面図である。
【図１１】リブと液晶パネルの断面図である。
【符号の説明】
【００５７】
１０…チューナ、１２…映像信号処理部、１４…駆動ドライバ、１６…液晶パネル、１８…音声信号処理部、２０…スピーカ、２２…マイコン、２４…電源回路、３０…筐体、３１…前面筐体、３１ｄ…リブ、３１ｅ…リブ、３１ｆ…開口、３２…背面筐体、３３…ネジボス、３３ａ〜３３ｃ…ネジボス、３４…ネジボス、３４ａ〜３４ｃ…ネジボス、４０…固定板金、４１…ヒレ部、４１ａ〜４１ｃ…ヒレ部、４２…ヒレ部、４２ａ〜４２ｃ…ヒレ部、６０…金属板、６１…映像光生成部、６２…前面ガラス、１００…液晶テレビジョン、Ｘ…映像表示領域、Ｙ…非映像表示領域
【図１】
2008167261.tif 000003
【図２】
2008167261.tif 000004
【図３】
2008167261.tif 000005
【図４】
2008167261.tif 000006
【図５】
2008167261.tif 000007
【図６】
2008167261.tif 000008
【図７】
2008167261.tif 000009
【図８】
2008167261.tif 000010
【図９】
2008167261.tif 000011
【図１０】
2008167261.tif 000012
【図１１】
2008167261.tif 000013